(57)【特許請求の範囲】
【請求項１】
表示装置の制御装置であって、
第１範囲の階調は中間階調であり、
上記第１範囲は、最小の階調ではない第１階調以上かつ、最大の階調ではない第２階調以下の範囲であり、
画像における複数の画素について、上記第１範囲の階調であるか否かを判定する画像判定部と、
上記画像判定部の判定結果に応じて上記表示装置のリフレッシュレートを変更する駆動変更部とを備え、
上記画像判定部は、上記画像の所定の領域に上記第１範囲の階調である画素と上記第１範囲の階調ではない画素とが含まれており、かつ、上記画像の上記所定の領域における上記第１範囲の階調である画素の割合が第１閾値以上であるか否かを判定することを特徴とする制御装置。
【請求項２】
表示装置の制御装置であって、
第１範囲の階調は中間階調であり、
画像における複数の画素について、上記第１範囲の階調であるか否かを判定する画像判定部と、
上記画像判定部の判定結果に応じて上記表示装置のリフレッシュレートを変更する駆動変更部と、
上記画像の内容が変化する間隔を検知する更新検知部とを備え、
上記画像判定部は、上記画像の所定の領域における上記第１範囲の階調である画素の割合が第１閾値以上であるか否かを判定し、
上記駆動変更部は、
上記間隔が所定の間隔閾値以下である場合、第１リフレッシュレートより高くかつ第２リフレッシュレートより低い第３リフレッシュレートで表示を行うことを決定し、
上記間隔が上記間隔閾値より大きくかつ上記第１範囲の階調である画素の割合が上記第１閾値未満である場合、上記第１リフレッシュレートで表示を行うことを決定し、
上記間隔が上記間隔閾値より大きくかつ上記第１範囲の階調である画素の割合が上記第１閾値以上である場合、上記第２リフレッシュレートで表示を行うことを決定することを特徴とする制御装置。
【請求項３】
表示装置の制御装置であって、
第１範囲の階調は中間階調であり、
第２範囲の階調は中間階調であり、上記第２範囲は上記第１範囲とは異なる範囲であり、
画像における複数の画素について、上記第１範囲の階調であるか否かを判定する画像判定部と、
上記画像判定部の判定結果に応じて上記表示装置のリフレッシュレートを変更する駆動変更部とを備え、
上記画像判定部は、上記画像の所定の領域における上記第１範囲の階調である画素の割合が第１閾値以上であるか否かを判定し、
上記第１範囲の階調である画素の割合が上記第１閾値以上であることを第１条件とし、
上記第２範囲の階調である画素の割合が第２閾値以上であることを第２条件とし、
上記第１条件を満たす場合、上記駆動変更部は、第２リフレッシュレートで表示を行うことを決定し、
上記第１条件を満たさずかつ上記第２条件を満たす場合、上記駆動変更部は、上記第２リフレッシュレートより低い第３リフレッシュレートで表示を行うことを決定し、
上記第１条件を満たさずかつ上記第２条件を満たさない場合、上記駆動変更部は、上記第３リフレッシュレートより低い第１リフレッシュレートで表示を行うことを決定することを特徴とする制御装置。
【請求項４】
表示装置の制御装置であって、
第１範囲の階調は中間階調であり、
１つの絵素は、色の異なる複数の画素を含み、
画像における複数の画素について、上記第１範囲の階調であるか否かを特定し、上記画像の所定の領域における上記第１範囲の階調である画素の割合に、色毎に重みづけをした合計値を求め、上記合計値が第３閾値以上であるか否かを判定する画像判定部と、
上記画像判定部の判定結果に応じて上記表示装置のリフレッシュレートを変更する駆動変更部とを備えることを特徴とする制御装置。
【請求項５】
請求項１から４のいずれか一項に記載の制御装置を備えることを特徴とする表示装置。
【請求項６】
表示装置の制御方法であって、
第１範囲の階調は中間階調であり、
上記第１範囲は、最小の階調ではない第１階調以上かつ、最大の階調ではない第２階調以下の範囲であり、
画像における複数の画素について、上記第１範囲の階調であるか否かを判定する画像判定ステップと、
上記画像判定ステップにおける判定結果に応じて上記表示装置のリフレッシュレートを変更する駆動変更ステップとを含み、
上記画像判定ステップでは、上記画像の所定の領域に上記第１範囲の階調である画素と上記第１範囲の階調ではない画素とが含まれており、かつ、上記画像の上記所定の領域における上記第１範囲の階調である画素の割合が第１閾値以上であるか否かを判定することを特徴とする制御方法。
【請求項７】
表示装置の制御方法であって、
第１範囲の階調は中間階調であり、
画像における複数の画素について、上記第１範囲の階調であるか否かを判定する画像判定ステップと、
上記画像判定ステップにおける判定結果に応じて上記表示装置のリフレッシュレートを変更する駆動変更ステップと、
上記画像の内容が変化する間隔を検知する更新検知ステップとを含み、
上記画像判定ステップでは、上記画像の所定の領域における上記第１範囲の階調である画素の割合が第１閾値以上であるか否かを判定し、
上記駆動変更ステップでは、
上記間隔が所定の間隔閾値以下である場合、第１リフレッシュレートより高くかつ第２リフレッシュレートより低い第３リフレッシュレートで表示を行うことを決定し、
上記間隔が上記間隔閾値より大きくかつ上記第１範囲の階調である画素の割合が上記第１閾値未満である場合、上記第１リフレッシュレートで表示を行うことを決定し、
上記間隔が上記間隔閾値より大きくかつ上記第１範囲の階調である画素の割合が上記第１閾値以上である場合、上記第２リフレッシュレートで表示を行うことを決定することを特徴とする制御方法。
【請求項８】
表示装置の制御方法であって、
第１範囲の階調は中間階調であり、
第２範囲の階調は中間階調であり、上記第２範囲は上記第１範囲とは異なる範囲であり、
画像における複数の画素について、上記第１範囲の階調であるか否かを判定する画像判定ステップと、
上記画像判定ステップにおける判定結果に応じて上記表示装置のリフレッシュレートを変更する駆動変更ステップとを含み、
上記画像判定ステップでは、上記画像の所定の領域における上記第１範囲の階調である画素の割合が第１閾値以上であるか否かを判定し、
上記第１範囲の階調である画素の割合が上記第１閾値以上であることを第１条件とし、
上記第２範囲の階調である画素の割合が第２閾値以上であることを第２条件とし、
上記第１条件を満たす場合、上記駆動変更ステップでは、第２リフレッシュレートで表示を行うことを決定し、
上記第１条件を満たさずかつ上記第２条件を満たす場合、上記駆動変更ステップでは、上記第２リフレッシュレートより低い第３リフレッシュレートで表示を行うことを決定し、
上記第１条件を満たさずかつ上記第２条件を満たさない場合、上記駆動変更ステップでは、上記第３リフレッシュレートより低い第１リフレッシュレートで表示を行うことを決定することを特徴とする制御方法。
【請求項９】
表示装置の制御方法であって、
第１範囲の階調は中間階調であり、
１つの絵素は、色の異なる複数の画素を含み、
画像における複数の画素について、上記第１範囲の階調であるか否かを特定し、上記画像の所定の領域における上記第１範囲の階調である画素の割合に、色毎に重みづけをした合計値を求め、上記合計値が第３閾値以上であるか否かを判定する画像判定ステップと、
上記画像判定ステップにおける判定結果に応じて上記表示装置のリフレッシュレートを
変更する駆動変更ステップとを含むことを特徴とする制御方法。
【発明の詳細な説明】
【技術分野】
【０００１】
本発明は制御装置、表示装置、および表示装置の制御方法に関する。
【背景技術】
【０００２】
近年、液晶表示装置に代表される薄型、軽量、および低消費電力の表示装置が著しく普及している。こうした表示装置の典型的な搭載形態は、例えば携帯電話機、スマートフォン、ノート型ＰＣ(Personal Computer)等である。また、今後はより薄型の表示装置である電子ペーパーの開発および普及も急速に進むことが期待されている。このような状況の中、各種の表示装置において消費電力を低下させることが共通の課題となっている。【０００３】
従来のＣＧ（Continuous Grain）シリコンＴＦＴ液晶表示パネル、またはアモルファスシリコンＴＦＴ液晶表示パネル等では、６０Ｈｚで画面リフレッシュを行う必要がある。そこで、従来の液晶表示パネルの省電力化のために、６０Ｈｚより低いリフレッシュレートを実現する試みがなされている。【０００４】
特許文献１には、一連のフレームに渡って画像中にストライプが存在しない場合、当該フレームがフリッカを生じやすい特徴を有しないと判断し、リフレッシュレートを低下させる液晶ディスプレイが記載されている。
【先行技術文献】
【特許文献】
【０００５】
【特許文献１】日本国公開特許公報「特開２００９−２５１６０７号公報（２００９年１０月２９日公開）」
【特許文献２】日本国公開特許公報「特開２００３−７６３３７号公報（２００３年３月１４日公開）」
【特許文献３】日本国公開特許公報「特開２００９−２８８７８９号公報（２００９年１２月１０日公開）」
【特許文献４】日本国公開特許公報「特開２０１１−１８６４４９号公報（２０１１年９月２２日公開）」
【特許文献５】日本国公開特許公報「特開２００３−４４０１１号公報（２００３年２月１４日公開）」
【発明の概要】
【発明が解決しようとする課題】
【０００６】
しかしながら、ＣＧシリコンＴＦＴまたはアモルファスシリコンＴＦＴを用いた液晶表示パネルでは、表示品位を維持するためには、せいぜい５０Ｈｚまでしかリフレッシュレートを低下させることはできない。【０００７】
近年、インジウム（Ｉｎ）、ガリウム（Ｇａ）、亜鉛（Ｚｎ）を用いた酸化物半導体によってＴＦＴを構成した酸化物半導体液晶表示パネルの開発が鋭意進められている。酸化物半導体によって構成されたＴＦＴでは、オフ状態における電流の漏れが少ない。そのため、酸化物半導体液晶表示パネルでは、従来のように６０Ｈｚで画面リフレッシュを行う必要がなく、リフレッシュレートを１Ｈｚ程度にまで低減させることができる。それゆえ、消費電力を低減することができる。【０００８】
しかしながら、液晶の応答速度が遅い場合、画素容量が均一でない等の理由により、低リフレッシュレートで表示装置の駆動を行うと、フリッカが視認されやすくなるという問題が生じる場合がある。液晶の応答速度が遅い場合、リフレッシュされない期間に渡って液晶の配向状態が変化するので、階調の変化が視認されやすい。また、オフ状態のＴＦＴを介して画素から電荷が漏れるので、画素容量が均一でない場合、画素毎に画素電位の変化が異なってしまう。これらの問題は、特許文献１では想定されていない問題である。なお、液晶表示パネルにおけるリフレッシュレート設定に関する技術として、特許文献２〜４も存在するが、これらの文献においても上記問題は想定されていない。【０００９】
本発明の一態様によれば、消費電力を抑え、かつ良好な表示を行う表示装置を実現することができる。
【課題を解決するための手段】
【００１０】
本発明の一態様に係る制御装置は、表示装置の制御装置であって、第１範囲の階調は中間階調であり、画像における複数の画素について、上記第１範囲の階調であるか否かを判定する画像判定部と、上記画像判定部の判定結果に応じて上記表示装置のリフレッシュレートを変更する駆動変更部とを備える。【００１１】
本発明の一態様に係る制御方法は、表示装置の制御方法であって、第１範囲の階調は中間階調であり、画像における複数の画素について、上記第１範囲の階調であるか否かを判定する画像判定ステップと、上記画像判定ステップにおける判定結果に応じて上記表示装置のリフレッシュレートを変更する駆動変更ステップとを含む。
【発明の効果】
【００１２】
本発明の一態様によれば、画像における複数の画素について、第１範囲の階調であるか否かを判定することにより、該画像がフリッカを視認させやすい画像か否かを判定することができる。この判定結果に応じて表示装置のリフレッシュレートを変更することにより、消費電力を低減し、かつフリッカの視認を防止する表示を行うことができる。
【図面の簡単な説明】
【００１３】
【図１】本発明の一態様に係る表示装置の構成を示すブロック図である。
【図２】酸化物半導体液晶表示パネルを１Ｈｚのリフレッシュレートで駆動した時の、各階調のフリッカ率を示すグラフである。
【図３】上記表示装置において静止画を表示するときのタイミングチャートである。
【図４】上記表示装置において動画を表示するときのタイミングチャートである。
【図５】上記表示装置のホスト制御部がリフレッシュレートを決定するフローチャートを示す図である。
【図６】上記ホスト制御部がリフレッシュレートを決定するフローチャートを示す図である。
【図７】上記表示装置の画面に表示される画像（静止画）の例を示す図である。
【図８】上記ホスト制御部がリフレッシュレートを決定する他のフローチャートを示す図である。
【図９】上記表示装置の画面を示す図である。
【図１０】上記表示装置の画面を示す図である。
【図１１】（ａ）は、所定のパターンを示す図であり、（ｂ）および（ｃ）は、画像の各画素の階調を表す階調マップを示す図である。
【図１２】本発明の他の態様に係る表示装置の構成を示すブロック図である。
【図１３】本発明のさらに他の態様に係る表示装置の構成を示すブロック図である。
【発明を実施するための形態】
【００１４】
〔実施形態１〕
図２は、酸化物半導体液晶表示パネルを１Ｈｚのリフレッシュレートで駆動した時の、各階調のフリッカ率を示すグラフである。フリッカ率は、フリッカの視認されやすさを表し、その値が大きいほどフリッカが視認されやすい。例えば、フリッカ率１．５％がフリッカが視認されやすいか否かの１つの基準になる。低リフレッシュレートで駆動した場合に、フリッカが生じやすいか否かは、表示する画像の階調に依存する。図２では、最小の階調（黒）が０、最大の階調（白）が２５５である。なお、フリッカの視認されやすさは、画面の大きさおよび製造工程によっても異なる。パネル１はパネル２に比べて大型の液晶表示パネルである。パネル１とパネル２とは製造工程も異なる。
【００１５】
中間階調では液晶の応答速度が比較的遅い。また、中間階調では、ＴＦＴを介した電荷の漏れによる階調の変化（液晶分子の配向の変化）が生じやすい。ここで、中間階調とは、飽和階調（最小の階調および最大の階調）を除いた階調のことである。例えば最小の階調を０、最大の階調を２５５としたときは、階調１から階調２５４の範囲が中間階調である。ノーマリブラックの場合、中間階調の中でも、例えば階調１０から階調２００の範囲でフリッカがより視認されやすい。さらに、階調２０から階調８０の範囲でフリッカがより視認されやすく、特に階調４０から階調６０の範囲でフリッカが視認されやすい。例えば、上記の範囲の階調の画素が多く含まれる画像を、１Ｈｚのリフレッシュレートで表示した場合、１秒毎に画面がリフレッシュされるので、ユーザは１秒毎にフリッカを視認する可能性がある。
【００１６】
そこで、本実施形態では、画像に所定の範囲の階調の画素が多く含まれる場合、リフレッシュレートを上げて駆動を行うことにより、フリッカが視認されることを防止する。
【００１７】
（表示装置１の構成）
図１は、本発明に係る一実施形態の表示装置の構成を示すブロック図である。表示装置１は、表示部１０と、表示駆動部２０と、ホスト制御部３０（制御装置）とを備えている。
【００１８】
表示部１０は画面を備えており、例えば、アクティブマトリクス型液晶表示パネルとしての酸化物半導体液晶表示パネルによって構成されている。酸化物半導体液晶表示パネルとは、二次元的に配列された複数の画素の少なくとも１つ毎に対応して設けられたスイッチング素子に、前述した酸化物半導体−ＴＦＴを採用した液晶表示パネルである。酸化物半導体−ＴＦＴは、半導体層に酸化物半導体が用いられたＴＦＴである。酸化物半導体としては、例えば、インジウム・ガリウム・亜鉛の酸化物を用いた酸化物半導体（ＩｎＧａＺｎＯ系酸化物半導体）がある。酸化物半導体−ＴＦＴは、オン状態において流れる電流が大きく、オフ状態におけるリーク電流が小さい。そのため、スイッチング素子に、酸化物半導体−ＴＦＴを採用したことにより、画素開口率を向上させることができる上に、画面表示のリフレッシュレートを１Ｈｚ程度にまで低減させることができる。リフレッシュレートの低減は、省電力効果をもたらす。なお、画素開口率の向上は、表示を明るくする効果、または表示の明るさをＣＧシリコン液晶表示パネルなどと同じにする場合には、バックライトの光量を下げることによる省電力効果をもたらす。なお、本発明は、酸化物半導体−ＴＦＴを用いた表示装置には限定されず、リフレッシュレートを変更可能な表示装置に適用することができる。
【００１９】
（ホスト制御部３０の構成）
ホスト制御部３０は、画面更新検知部３１（更新検知部）、ＣＰＵ３２、ホストメモリ３３、ホストＴＧ３４（ホストタイミングジェネレータ）、画像判定部３５、および駆動変更部３６を備えている。ホスト制御部３０は、例えば基板上に形成された制御回路で構成される。
【００２０】
上記画面更新検知部３１は、表示部１０の画面の表示を更新する必要があるかどうかを検知する。例えば、表示装置１内で起動され実行中のアプリケーションが、表示の更新を画面更新検知部３１に通知してきた場合、表示装置１のユーザが入力部を介して表示の更新を画面更新検知部３１に通知してきた場合、インターネットを介したデータストリーミングまたは放送波などによる表示の更新が画面更新検知部３１に通知された場合などに、画面更新検知部３１は、ＣＰＵ３２に画面の表示（画像）を更新する必要があることを知らせる。
【００２１】
ここでは、画面更新検知部３１に入力される表示データは、表示が更新されるフレームの画像と、該画像データを表示するタイミングを示す表示更新フラグ（タイムリファレンス）とを含む。複数フレームに渡って画像の内容が変化しない場合、変化しない間のフレームのデータは、表示データには含まれない。画面更新検知部３１は、表示更新フラグに基づいて、表示の更新の必要性を検知することができる。画面更新検知部３１は、画像の内容が変化したフレームの時刻を記憶する。画面更新検知部３１は、表示更新フラグに基づいて、前に画像の内容が変化したフレームから（表示更新されるフレームから）次に画像の内容が変化するフレームまでの間隔を検知する。画像の内容が変化する間隔から、表示が動画であるか静止画であるかを判別することができる。画面更新検知部３１は、表示更新フラグと表示データとをＣＰＵ３２に出力する。また、画面更新検知部３１は、画像の内容が変化する間隔を、駆動変更部３６に出力する。
【００２２】
なお、表示データに、表示更新フラグが含まれておらず、全てのフレームのデータが含まれている場合、画面更新検知部３１は、前のフレームの画像と後のフレームの画像とを比較することにより、画像の内容が変化したか否かを判断することができる。画面更新検知部３１は、この比較結果より、表示の更新の必要性を検知することができる。この場合も、画面更新検知部３１は、更新されたフレームの時刻から、画像の内容が変化してから次に画像の内容が変化するまでの間隔を検知する。
【００２３】
ＣＰＵ３２は、１画面分の表示データを画面更新検知部３１から取得し、ホストメモリ３３に表示データを書き込む。また、ＣＰＵ３２は、画像判定部３５に表示データを出力する。ＣＰＵ３２は、更新フラグをホストＴＧ３４に出力する。
【００２４】
ホストメモリ３３は、ＶＲＡＭ（Video Random Access Memory）等で構成される記憶装置である。
【００２５】
ホストＴＧ３４は、ＣＰＵ３２から更新フラグを受け取ると、ホストメモリ３３から表示データを取得し、表示駆動部２０に表示データを転送する。ホストＴＧ３４は、表示の更新が必要な時のみ、更新されるフレーム画像の表示データを表示駆動部２０に転送する。表示データの転送は、例えばＭＩＰＩ（ミピ：Mobile Industry Processor Interface）等のモバイル機器のデータ通信仕様に従って行われる。なお、ホストＴＧ３４は、表示データと共に同期信号を表示駆動部２０に転送する。
【００２６】
画像判定部３５は、表示データが示す画像が、フリッカが生じやすい画像であるか否かを判定する。具体的には、画像判定部３５は、画像中の各画素について、階調２０から階調８０の範囲（第１範囲）の階調であるか否かを判定する。画像判定部３５は、画像の所定の領域における第１範囲の階調である画素の割合を求める。具体的には、画像判定部３５は、例えば１０階調刻みで複数の画素を分類したヒストグラムを生成し、ヒストグラムから第１範囲の階調である画素の割合を求める。ここでは上記所定の領域は画像の全体であるが、上記所定の領域は画像の一部の領域であってもよい。画像判定部３５は、第１範囲の階調である画素の割合が３０％（第１閾値）以上であるか否かを判定する。画像判定部３５は、上記割合が３０％以上である場合、その画像がフリッカが生じやすい画像であると判定し、上記割合が３０％未満である場合、その画像がフリッカが生じやすい画像ではないと判定する。画像判定部３５は、第１範囲の階調である画素の割合が第１閾値以上であるか否かの判定結果を、駆動変更部３６に出力する。なお、第１範囲および第１閾値等の値は、一例であり、他の値であってもよい。
【００２７】
駆動変更部３６は、画像判定部３５の判定結果に基づいて、表示部１０のリフレッシュレートを変更する。表示が静止画であり、第１範囲の階調である画素の割合が第１閾値未満である場合、駆動変更部３６は、第１リフレッシュレート（１Ｈｚ）で表示を行うことを決定する。表示が静止画であり、第１範囲の階調である画素の割合が第１閾値以上である場合、駆動変更部３６は、第１リフレッシュレートよりも高い第２リフレッシュレート（６０Ｈｚ）で表示を行うことを決定する。ただし、表示が動画である場合、駆動変更部３６は、第１リフレッシュレートと第２リフレッシュレートとの間の第３リフレッシュレート（３０Ｈｚ）で表示を行うことを決定する。表示が動画である場合、短い間隔で画像の内容が変化するので、第１範囲の階調の画素が多くてもフリッカが視認されにくい。そのため、例えば動画の更新頻度が３０Ｈｚである場合に、３０Ｈｚより高い６０Ｈｚでリフレッシュする必要は無い。例えば動画の更新頻度が１５Ｈｚである場合、１５Ｈｚでリフレッシュしてもよいし、３０Ｈｚでリフレッシュしてもよい。なお、駆動変更部３６は、画像の内容が変化する間隔から、表示が動画であるか静止画であるかを判定することができる。駆動変更部３６は、決定されたリフレッシュレートで表示部１０が駆動されるよう、表示駆動部２０にリフレッシュレートを指示する。
【００２８】
（表示駆動部２０の構成）
表示駆動部２０は、例えば、表示部１０のガラス基板にＣＯＧ（Chip on Glass）実装された、いわゆるＣＯＧドライバであり、上記画面に、表示データに基づく表示を行わせるように、表示部１０を駆動する。表示駆動部２０は、メモリ２１、ＴＧ２２（タイミングジェネレータ）、およびソースドライバ２３を備える。
【００２９】
メモリ２１は、ホスト制御部３０から転送された表示データを記憶する。メモリ２１は、次に表示の更新が行われるまで（すなわち画像の内容が変化しない限り）、表示データを保持し続ける。
【００３０】
ＴＧ２２は、ホスト制御部３０から指示されたリフレッシュレートに基づいて、メモリ２１から表示データを読み出し、表示データをソースドライバ２３に出力する。また、ＴＧ２２は、指示されたリフレッシュレートで表示部１０を駆動するためのタイミング信号を生成し、ソースドライバ２３に供給する。なお、ＴＧ２２は、タイミング信号を生成するためにホストＴＧから入力される同期信号を利用してもよい。
【００３１】
ソースドライバ２３は、タイミング信号に従って、表示部１０の画素に、表示データに対応した表示電圧を書き込む。
【００３２】
なお、表示装置１の好適な例として、例えば、携帯電話機、スマートフォン、ノート型ＰＣ、タブレット端末、電子書籍リーダー、またはＰＤＡ等、特に携行性を重視する表示装置を挙げることができる。
【００３３】
（表示駆動方法）
図３は、表示装置１において静止画を表示するときのタイミングチャートである。図３は、静止画像Ａと静止画像Ｂとが順に表示される場合を示す。画像Ａは、第１範囲（階調２０〜階調８０）の階調の画素の割合が第１閾値（３０％）以上であり、フリッカを生じやすい画像である。画像Ｂは、第１範囲の階調の画素の割合が第１閾値よりも小さく、フリッカを生じにくい画像である。そのため、画像Ａは６０Ｈｚのリフレッシュレートで表示され、画像Ｂは１Ｈｚのリフレッシュレートで表示される。
【００３４】
図３の（ａ）に示すように、画像の内容が変化したときのみ、ホスト制御部３０から表示駆動部２０に１画面分の表示データ（画像Ａ、画像Ｂ）が転送される。画像Ａの表示データが転送された後、次にホスト制御部３０から表示駆動部２０に表示データが転送されるのは、表示が画像Ｂに更新されるときである。
【００３５】
表示駆動部２０は、受け取った表示データ（画像Ａ）をメモリ２１に格納すると共に、図３の（ｂ）のドライバ内部垂直同期信号に同期したタイミングで、表示部１０の表示を画像Ａに更新する（図３の（ｃ））。ドライバ内部垂直同期信号は、指定されたリフレッシュレートに応じて、ＴＧ２２が生成する。なお、表示駆動部２０が表示データを受け取ってから表示するまでの遅延時間は、ここでは省略している。点線のパルスは、そこでは垂直同期信号が生成されていないことを示す。
【００３６】
その後、画像Ａの表示のリフレッシュは、１／６０秒毎に行われる。表示駆動部２０において、１／６０秒毎に、ＴＧ２２がメモリ２１から表示データ（画像Ａ）を読み出し、ソースドライバ２３が表示データを表示部１０に供給する。
【００３７】
一方で、画像Ｂが表示部１０に表示された後は、画像Ｂの表示のリフレッシュは、１秒毎に行われる。表示駆動部２０において、１秒毎に、ＴＧ２２がメモリ２１から表示データ（画像Ｂ）を読み出し、ソースドライバ２３が表示データを表示部１０に供給する。このとき、ドライバ内部垂直同期信号も、１Ｈｚのリフレッシュレートに合わせて生成される。
【００３８】
図４は、表示装置１において動画を表示するときのタイミングチャートである。図４は、動画である画像Ａ〜画像Ｅが順に表示される場合を示す。画像Ａ、Ｂ、Ｄ、Ｅはそれぞれ１／３０秒間表示され、画像Ｃは１／１５秒間表示される。画像の内容が変化する間隔は、画像Ａ〜画像Ｅのいずれでも間隔閾値（例えば４００ｍｓ）以下である。そのため、画像Ａ〜画像Ｅは動画であると判断されるので、画像の階調に関係なく画像Ａ〜画像Ｅは３０Ｈｚのリフレッシュレートで表示される。
【００３９】
図４の（ａ）（ｂ）に示すように、画像の内容が変化したときのみ、垂直同期信号（転送）に同期したタイミングで、ホスト制御部３０から表示駆動部２０に１画面分の表示データ（画像Ａ〜画像Ｅ）が転送される。
【００４０】
表示駆動部２０は、受け取った表示データ（画像Ａ）をメモリ２１に格納すると共に、図４の（ｃ）のドライバ内部垂直同期信号に同期したタイミングで、表示部１０の表示を画像Ａに更新する（図４の（ｄ））。ドライバ内部垂直同期信号は、指定されたリフレッシュレートに応じて、ＴＧ２２が生成する。
【００４１】
画像Ｃのように、画像の内容が変化する間隔がリフレッシュ間隔（１／３０秒）より長い場合、表示駆動部２０において、１／３０秒毎に、ＴＧ２２がメモリ２１に保持されている表示データ（画像Ｃ）を読み出し、ソースドライバ２３が表示データを表示部１０に供給する。
【００４２】
（リフレッシュレート決定フロー１）
図５は、ホスト制御部３０がリフレッシュレートを決定するフローチャートを示す図である。画面更新検知部３１が表示の更新（画像の内容の変化）を検知する毎に、図５のフローが実行される。
【００４３】
画面更新検知部３１は、表示更新フラグ等から画像の内容の変化を検知すると、画像の内容が変化する間隔を検知する。駆動変更部３６は、画像の内容が変化する間隔（更新間隔）が所定の間隔閾値（例えば４００ｍｓ）以下であるか否かを判定する（Ｓ１）。
【００４４】
画像の内容が変化する間隔が間隔閾値以下である場合（Ｓ１でＹｅｓ）、駆動変更部３６は、表示される画像が動画であると判断し、リフレッシュレートを３０Ｈｚに決定する（Ｓ２）。
【００４５】
画像の内容が変化する間隔が間隔閾値より大きい場合（Ｓ１でＮｏ）、駆動変更部３６は、表示される画像が静止画であると判断する。画像判定部３５は、画像全体における第１範囲（階調２０から階調８０の範囲）の階調である画素の割合を求める。そして、画像判定部３５は、第１範囲の階調である画素の割合が第１閾値（３０％）以上であるか否かを判定する（Ｓ３）。
【００４６】
画像の内容が変化する間隔が間隔閾値より大きく、かつ第１範囲の階調である画素の割合が第１閾値（３０％）未満である場合（Ｓ３でＮｏ）、駆動変更部３６は、リフレッシュレートを１Ｈｚに決定する（Ｓ４）。
【００４７】
画像の内容が変化する間隔が間隔閾値より大きく、かつ第１範囲の階調である画素の割合が第１閾値（３０％）以上である場合（Ｓ３でＹｅｓ）、駆動変更部３６は、リフレッシュレートを６０Ｈｚに決定する（Ｓ５）。
【００４８】
（表示装置１の効果）
本実施形態の表示装置１によれば、静止画の表示において、フリッカが視認されやすい画像を表示する場合に、リフレッシュレートを高く設定することによりフリッカが視認されることを防止することができる。また、静止画の表示において、フリッカが視認されにくい画像を表示する場合に、リフレッシュレートを低く設定することにより消費電力を低減することができる。それゆえ、表示装置１は、表示品位を高く保ちつつ消費電力を低減することができる。
【００４９】
動画の表示においては、画像の階調に関係なくフリッカが視認されにくい。表示装置１は、動画の表示において、リフレッシュレートを中程度に設定することにより、過剰なリフレッシュを抑制して消費電力を低減することができる。このときのリフレッシュレートは、少なくとも動画の更新頻度以上であればよい。
【００５０】
なお、表示装置１は、動画または静止画に関係なく、画像における第１範囲の階調である画素の割合に応じてリフレッシュレートを決定する構成であってもよい。例えば、高いリフレッシュレートを６０Ｈｚ、低いリフレッシュレートを１５Ｈｚとしてもよい。
【００５１】
表示装置１では、画像が変化しない期間では、リフレッシュ動作は表示駆動部２０が行い、ホスト制御部３０は表示駆動部２０に画像を転送する必要がない。そのため、画像が変化しない期間においてホスト制御部３０の動作を休止させることができる。ホスト制御部３０が休止することによる省電力効果は、非常に大きい。
【００５２】
（変形例１）
なお１つの絵素にはＲＧＢの画素が含まれる。上記の例では、画像判定部３５は、画素の色（色成分：ＲＧＢ）に関係なく、画像における第１範囲の階調である画素の割合を判定する。
【００５３】
一方で、画像判定部３５は、ＲＧＢ毎に第１範囲の階調である画素の割合を求め、該割合に色毎に重みづけをしてもよい。この場合、画像判定部３５は、該割合に色毎に重みづけをした合計値が所定の閾値以上であるか否かを判定する。一般的に、人間のＲＧＢの認識度の強さは、Ｒ：Ｇ：Ｂ＝３：６：１であると言われる。すなわち、人間はＧ（緑）画素を強く認識するので、Ｇ画素に第１範囲の階調が多いと、フリッカが視認されやすい。それゆえ、画像判定部３５は、画像の所定の領域において、Ｒ（赤）画素のうち第１範囲の階調であるＲ画素の割合Ｒｒと、Ｇ画素のうち第１範囲の階調であるＧ画素の割合Ｒｇと、Ｂ画素のうち第１範囲の階調であるＢ画素の割合Ｒｂとを求める。画像判定部３５は、重みづけをした合計値として（３×Ｒｒ）＋（６×Ｒｇ）＋（１×Ｒｂ）を求める。画像判定部３５は、この合計値が所定の閾値（例えば、（３＋６＋１）×３０［％］）以上であれば、その画像がフリッカが視認されやすい画像であると判定することができる。
【００５４】
画像判定部３５は、ＲＧＢの階調から求めた絵素の輝度Ｙに基づいて、その画像がフリッカが視認されやすい画像であるか否か判定してもよい。画像判定部３５は、各絵素について、例えば輝度Ｙ＝Ｒ階調×0.29891＋Ｇ階調×0.58661＋Ｂ階調×0.11448として、輝度Ｙを求める。画像判定部３５は、絵素の輝度Ｙが所定の範囲（例えば２０〜８０）の中にあれば、その絵素に含まれる複数の画素は第１範囲の階調であると判定してもよい。すなわち、輝度Ｙが所定の範囲内にある絵素の割合が第１閾値（３０％）以上であれば、フリッカの視認を防止するために、高いリフレッシュレート（６０Ｈｚ）で表示が行われる。この場合、画像判定部３５は、各絵素の輝度Ｙについてのヒストグラムを記憶すればよいので、各画素の階調についてのヒストグラムを記憶する場合に比べて記憶容量が１／３程度で済む。
【００５５】
〔実施形態２〕
本発明の他の実施形態について、以下に説明する。なお、説明の便宜上、上述の実施形態にて説明した部材と同じ機能を有する部材については、同じ符号を付記し、その説明を省略する。本実施形態では、表示装置のブロック構成は実施形態１と同じであるが、リフレッシュレートの決定フローが実施形態１とは異なる。
【００５６】
（リフレッシュレート決定フロー２）
図６は、本実施形態においてホスト制御部３０がリフレッシュレートを決定するフローチャートを示す図である。画面更新検知部３１が表示の更新（画像の内容の変化）を検知する毎に、図６のフローが実行される。
【００５７】
画面更新検知部３１は、表示更新フラグ等から画像の内容の変化を検知すると、画像の内容が変化する間隔を検知する。また、画像判定部３５は、階調をビンとして画像の各画素を分類するヒストグラムを生成する。駆動変更部３６は、画像の内容が変化する間隔（更新間隔）が所定の間隔閾値以下であるか否かを判定する（Ｓ１１）。
【００５８】
画像の内容が変化する間隔が間隔閾値より大きい場合（Ｓ１１でＮｏ）、駆動変更部３６は、表示される画像が静止画であると判断する。画像判定部３５は、条件１を満たすか否かを判定する（Ｓ１２）。条件１は、画像全体における第１範囲（階調２０から８０の範囲）の階調である画素の割合が第１閾値（３０％）以上であることである。
【００５９】
画像の内容が変化する間隔が間隔閾値より大きく、かつ条件１を満たす場合（Ｓ１２でＹｅｓ）、駆動変更部３６は、リフレッシュレートを６０Ｈｚに決定する（Ｓ１３）。
【００６０】
画像の内容が変化する間隔が間隔閾値より大きく、かつ条件１を満たさない場合（Ｓ１２でＮｏ）、画像判定部３５は、条件２を満たすか否かを判定する（Ｓ１４）。条件２は、画像全体における第２範囲（階調１０から１６０の範囲）の階調である画素の割合が第２閾値（２０％）以上であることである。
【００６１】
画像の内容が変化する間隔が間隔閾値より大きく、かつ条件１を満たさず、かつ条件２を満たす場合（Ｓ１４でＹｅｓ）、駆動変更部３６は、リフレッシュレートを３０Ｈｚに決定する（Ｓ１５）。第２範囲は第１範囲を包含するが第１範囲より広い。第２範囲の階調である画素は、第１範囲の階調である画素に比べればフリッカを生じさせにくいが、若干フリッカを生じさせる可能性はある。それゆえ、条件１より緩い条件２を満たす場合、フリッカの視認を防止するために、中程度のリフレッシュレートで表示を行う。これにより、過剰なリフレッシュを抑制して消費電力を低減することができる。
【００６２】
画像の内容が変化する間隔が間隔閾値より大きく、かつ条件１を満たさず、かつ条件２を満たさない場合（Ｓ１４でＮｏ）、駆動変更部３６は、リフレッシュレートを１Ｈｚに決定する（Ｓ１６）。条件１も条件２も満たされない場合、低リフレッシュレートで表示を行ってもフリッカが視認されないと判断できる。そのため、低リフレッシュレートで表示を行うことで、消費電力を低減する。
【００６３】
画像の内容が変化する間隔が間隔閾値以下である場合（Ｓ１１でＹｅｓ）、駆動変更部３６は、表示される画像が動画であると判断する。画像判定部３５は、条件３を満たすか否かを判定する（Ｓ１７）。条件３は、画像全体における第３範囲（階調４０から６０の範囲）の階調である画素の割合が第３閾値（４０％）以上であることである。ここでは第３範囲は、第１範囲に包含され、かつ第１範囲より狭い範囲である。
【００６４】
画像の内容が変化する間隔が間隔閾値以下であり、かつ条件３を満たす場合（Ｓ１７でＹｅｓ）、駆動変更部３６は、リフレッシュレートを６０Ｈｚに決定する（Ｓ１８）。動画であっても、特にフリッカを生じやすい階調の画素が多い場合は、フリッカが視認される可能性がある。この場合でも、高リフレッシュレートで表示を行うことにより、フリッカの視認を防止することができる。
【００６５】
画像の内容が変化する間隔が間隔閾値以下であり、かつ条件３を満たさない場合（Ｓ１７でＮｏ）、画像判定部３５は、条件４を満たすか否かを判定する（Ｓ１９）。条件４は、画像全体における第４範囲（階調２０から８０の範囲）の階調である画素の割合が第４閾値（３０％）以上であることである。
【００６６】
画像の内容が変化する間隔が間隔閾値以下であり、かつ条件３を満たさず、かつ条件４を満たす場合（Ｓ１９でＹｅｓ）、駆動変更部３６は、リフレッシュレートを３０Ｈｚに決定する（Ｓ２０）。第４範囲は第３範囲を包含するが第３範囲より広い。それゆえ、条件３より緩い条件４を満たす場合、フリッカの視認を防止するために、中程度のリフレッシュレートで表示を行う。
【００６７】
画像の内容が変化する間隔が間隔閾値以下であり、かつ条件３を満たさず、かつ条件４を満たさない場合（Ｓ１９でＮｏ）、駆動変更部３６は、リフレッシュレートを１５Ｈｚに決定する（Ｓ２１）。この場合、表示される画像が動画であるので、低くかつ動画表示として適切なリフレッシュレート（１５Ｈｚ）で表示を行う。
【００６８】
上記フロー２では、フリッカを生じやすい階調の画素の割合に応じて、段階的にリフレッシュレートを変更する。それゆえ、より表示品位を高く保ちつつ、不要なリフレッシュを削減することができる。なお、静止画より動画の方がフリッカが視認されにくいので、動画のための条件３、４はそれぞれ、静止画のための条件１、２より厳しい条件（満たす画像が少ない条件）になっている。
【００６９】
（リフレッシュレート決定フロー３）
図７の（ａ）および（ｂ）は、表示装置１の画面に表示される画像（静止画）の例を示す図である。これらの画像Ｆ、Ｇでは、白地の背景の中に、ユーザが選択するためのＹｅｓボタンおよびＮｏボタンが配置されている。白地の背景には例えば黒色の文字が描かれる。画像Ｆでは、ボタン領域は一定の階調３０であり、画像Ｇでは、ボタン領域は一定の階調７０である。画像Ｆにおいて、階調３０のボタン領域は全体の１８％の割合を占め、画像Ｇにおいて、階調７０のボタン領域は全体の１８％の割合を占める。すなわち、画像Ｆ、Ｇにおいて、白地の背景および黒色の文字からなる階調０から５および階調２００から２５５の領域（背景領域）は、全体の８０％以上を占める。
【００７０】
これらの画像Ｆ、Ｇについて、上記フロー１、２に従ってリフレッシュレートを決定すると、１Ｈｚのリフレッシュレートで表示を行うことになる。しかしながら、画像Ｆまたは画像Ｇでは、階調３０または７０の領域が固まって存在するため、低リフレッシュレートで表示を行うとボタン領域にフリッカが視認される可能性がある。かといって、第１範囲（階調２０から８０の範囲）に対する第１閾値を１５％に設定すると、多くの画像が条件を満たしてしまい、低リフレッシュレートでもフリッカが視認されない画像まで６０Ｈｚのリフレッシュレートで表示することになる。そこで、以下で説明するフロー３では、階調の範囲を小さく分割して、判定を行う。
【００７１】
図８は、ホスト制御部３０がリフレッシュレートを決定するフローチャートを示す図である。
【００７２】
画像判定部３５は、条件５を満たすか否かを判定する（Ｓ３１）。条件５は、画像全体における第５範囲（階調２０から４０の範囲）の階調である画素の割合が第５閾値（１５％）以上であることである。
【００７３】
条件５を満たす場合（Ｓ３１でＹｅｓ）、駆動変更部３６は、リフレッシュレートを６０Ｈｚに決定する（Ｓ３２）。
【００７４】
条件５を満たさない場合（Ｓ３１でＮｏ）、画像判定部３５は、条件６を満たすか否かを判定する（Ｓ３３）。条件６は、画像全体における第６範囲（階調４１から８０の範囲）の階調である画素の割合が第６閾値（１５％）以上であることである。
【００７５】
条件５を満たさず、かつ条件６を満たす場合（Ｓ３３でＹｅｓ）、駆動変更部３６は、リフレッシュレートを６０Ｈｚに決定する（Ｓ３４）。
【００７６】
条件５を満たさず、かつ条件６を満たさない場合（Ｓ３３でＮｏ）、駆動変更部３６は、リフレッシュレートを１Ｈｚに決定する（Ｓ３４）。
【００７７】
ここで、第５範囲と第６範囲とは、連続しているが範囲が重ならない。また、第５閾値と第６閾値とは同じ値（１５％）である。このように、フリッカが生じやすい中間階調（例えば階調２０−８０）を、２つの範囲に分割してそれぞれ割合を判定することにより、画像Ｆ、Ｇのような小さい領域でフリッカが視認される画像を高リフレッシュレートで表示することができる。それゆえ、ボタン領域のような、フリッカが生じやすい階調が固まって存在する画像についても、フリッカの視認を防止することができる。また、フリッカが生じない画像を適切に判別し、該画像を低リフレッシュレートで表示することができる。
【００７８】
なお、第５範囲と第６範囲とは、範囲が一部重なっていてもよく、異なる範囲であればよい。第５閾値と第６閾値とは、異なっていてもよい。
【００７９】
〔実施形態３〕
本発明のさらに他の実施形態について、以下に説明する。なお、説明の便宜上、上述の実施形態にて説明した部材と同じ機能を有する部材については、同じ符号を付記し、その説明を省略する。本実施形態では、表示装置のブロック構成は実施形態１と同じである。
【００８０】
（画像判定方法１）
実施形態１では画像全体における所定の範囲の階調である画素の割合を求めたが、画像の一部の領域において所定の範囲の階調である画素の割合を求めてもよい。
【００８１】
図９の（ａ）（ｂ）は、異なる表示装置の画面を示す図である。画素の容量の均一性は、製造工程に依存する。そのため、表示装置の画面において、画素の容量が均一でない領域は、一定の箇所に偏ることが多い。例えば、図９の（ａ）に示す表示装置の例では、画面１１ａの中央に画素の容量が均一でない領域１２が分布している。また、図９の（ｂ）に示す表示装置の例では、画面１１ｂの下部に画素の容量が均一でない領域１２が分布している。すなわち、画面全体に同じ階調の画像を表示した場合であっても、図９の（ａ）では画面１１ａの中央においてフリッカが視認されやすく、図９の（ｂ）では画面１１ｂの下部においてフリッカが視認されやすい。
【００８２】
そこで、画素の容量が均一でない領域１２に対応する画像の領域に、フリッカを生じやすい階調の画素が分布しているか否かを判定すれば、その画像がフリッカを生じやすい画像であるか否かを判別することができる。
【００８３】
図９の（ａ）の表示装置では、画像判定部３５（領域指定部）は、画像における中央の一部の領域を所定の解析領域１３として指定する。図９の（ｂ）の表示装置では、画像判定部３５は、画像における下部の一部の領域を所定の解析領域１３とする。解析領域１３は、画素の容量が均一でない領域１２に対応する領域を含む。そして、画像判定部３５は、解析領域１３における第１範囲（例えば階調２０から８０の範囲）の階調である画素の割合が、第１閾値（例えば３０％）以上であるか否かを判定する。
【００８４】
このように、画面のフリッカが生じやすい領域に対応する画像の一部の領域のみにおいて、中間階調の画素の割合を判定することにより、画素の階調を判定する処理を低減することができる。また、ヒストグラムのための記憶容量も低減することができる。
【００８５】
また、画像の解析領域１３においてフリッカが生じやすい（第１範囲の階調の画素の割合が第１閾値以上である）と判定された場合、画面１１ａ、１１ｂの全体ではなく、画面１１ａ、１１ｂの一部の領域１４のみが高リフレッシュレート（６０Ｈｚ）で駆動されてもよい。アクティブマトリクス型表示装置では、画素への書き込みは走査信号線毎に行われるので、表示装置は、解析領域１３に対応する複数の走査信号線を含む領域１４のみをリフレッシュすることができる。領域１４ではない他の領域は、例えば低リフレッシュレート（１Ｈｚ）で駆動される。
【００８６】
（画像判定方法２）
画像判定部３５は、画像の複数の領域について、所定の範囲の階調である画素の割合を求めてもよい。
【００８７】
図１０の（ａ）に示す表示装置の例では、画面１１ｃの中央から下部にかけて画素の容量が均一でない領域１２が分布している。そこで、画像判定部３５は、複数の解析領域１３ａ、１３ｂを設定する。画素の容量が均一でない領域１２のうち画面１１ｃの中央部は、解析領域１３ａに含まれる。画素の容量が均一でない領域１２のうち画面１１ｃの下部は、解析領域１３ｂに含まれる。
【００８８】
画像判定部３５は、複数の解析領域１３ａ、１３ｂ毎に、第１範囲の階調の画素の割合が第１閾値以上であるか否かを判定する。画像の解析領域１３ａ、１３ｂのいずれかの解析領域においてフリッカが生じやすい（第１範囲の階調の画素の割合が第１閾値以上である）と判定された場合、少なくともフリッカが生じやすいと判定された解析領域については、高リフレッシュレート（６０Ｈｚ）で表示を行う。例えば、解析領域１３ａにおける第１範囲の階調の画素の割合が第１閾値以上である場合、駆動変更部３６は、解析領域１３ａに対応する複数の走査信号線を含む画面１１ｃの領域１４ａを、高リフレッシュレート（６０Ｈｚ）で駆動すると決定する。
【００８９】
例えば、画面１１ｃの領域１４ａについては、対応する解析領域１３ａにおける複数の画素の階調に応じてリフレッシュレートが決定され、画面１１ｃの領域１４ｂについては、対応する解析領域１３ｂにおける複数の画素の階調に応じてリフレッシュレートが決定される。画面１１ｃのその他の領域については、静止画であれば常に１Ｈｚのリフレッシュレートで表示が行われる。なお、駆動変更部３６は、いずれかの解析領域でフリッカが生じやすいと判定された場合、画面１１ｃ全体を高リフレッシュレート（６０Ｈｚ）で駆動するように構成されていてもよい。
【００９０】
図１０の（ｂ）に示すように、画像判定部３５は、画像（画面１１ｄ）全体を複数の解析領域１３ｃ〜１３ｈに区分し、解析領域毎に第１範囲の階調の画素の割合が第１閾値以上であるか否かを判定してもよい。この場合、画像判定部３５は、解析領域毎に、画素を分類するヒストグラムを生成する。解析領域１３ｃおよび解析領域１３ｄは、共通の走査信号線によって駆動される。そのため、解析領域１３ｃおよび解析領域１３ｄの少なくともいずれか一方においてフリッカが生じやすい（第１範囲の階調の画素の割合が第１閾値以上である）と判定された場合、駆動変更部３６は、解析領域１３ｃおよび解析領域１３ｄの両方に対応する画面１１ｄの領域を高リフレッシュレート（６０Ｈｚ）で駆動すると決定する。
【００９１】
なお、複数の解析領域１３ｃ〜１３ｈ毎に、判定のための条件が異なっていてもよい。例えば、画像判定部３５は、解析領域１３ｅについては、第１範囲の階調の画素が第１閾値以上であるという条件を満たすか判定し、解析領域１３ｆについては、第１範囲と異なる第２範囲の階調の画素が第１閾値と異なる第２閾値以上であるという条件を満たすか判定してもよい。
【００９２】
複数の解析領域毎に判定を行うことによって、フリッカが生じやすい画素が局所的に集まっている画像に対しても、適切にリフレッシュレートを変更して、フリッカの視認を防止することができる。また、フリッカが生じにくい画像（または領域）に対しては、低リフレッシュレートで表示を行うことにより、消費電力を低減することができる。
【００９３】
（画像判定方法３）
画像の中に所定のパターンにマッチする領域があるかを判定することにより、その画像がフリッカが生じやすい領域を有するかを判定することもできる。
【００９４】
図１１の（ａ）は、所定のパターン１５を示す図である。パターン１５は、３行×６列の画素で構成される矩形のパターンである。「１」は対応する画素の階調が第１範囲（階調２０から８０の範囲）内であることを示し、「０」は対応する画素の階調が第１範囲ではないことを示す。すなわち、パターン１５は、第１範囲の階調である複数の画素が２次元的に集まって構成されるパターンである。
【００９５】
図１１の（ｂ）（ｃ）は、画像の各画素の階調を表す階調マップを示す図である。画像判定部３５は、画像の各画素の階調が第１範囲の階調であるか否かを判定し、階調マップ１６ａ、１６ｂを生成する。階調マップ１６ａ、１６ｂでは、画素の階調が第１範囲内であれば値を「１」とし、画素の階調が第１範囲でなければ値を「０」とする。
【００９６】
図１１の（ｃ）の階調マップ１６ｂのように、第１範囲の階調である画素が多く存在しても、第１範囲の階調である画素が粗に分散していれば、フリッカは視認されにくい。図１１の（ｂ）の階調マップ１６ａのように、第１範囲の階調である画素が密に分布している領域が局所的に存在すると、たとえ全体における第１範囲の階調である画素の割合は小さくても、フリッカが視認されやすい。すなわち、第１範囲の階調である画素が一定領域以上固まって存在すると、よりフリッカが視認されやすくなる。
【００９７】
画像判定部３５は、階調マップ１６ａ、１６ｂにおいて所定のパターン１５にマッチする領域が存在するか否かを判定する。駆動変更部３６は、画像がパターン１５にマッチする領域を有するか否かに応じて、リフレッシュレートを変更する。
【００９８】
ある画像の階調マップ１６ａは、パターン１５にマッチする領域１７を有する。そのため、階調マップ１６ａに対応する画像はフリッカを生じやすいので、駆動変更部３６は、該画像を高リフレッシュレート（６０Ｈｚ）で表示することを決定する。別の画像の階調マップ１６ｂは、パターン１５にマッチする領域を有しない。そのため、階調マップ１６ｂに対応する画像はフリッカを生じにくいので、駆動変更部３６は、該画像を低リフレッシュレート（１Ｈｚ）で表示することを決定する。
【００９９】
このように、画像が所定のパターン１５にマッチするか否かに応じてリフレッシュレートを決定することにより、局所的にフリッカが視認されやすい画像（図１１の（ｂ））を高リフレッシュレートで表示し、フリッカの視認を防止することができる。また、第１範囲の階調である画素が多く含まれるがフリッカが視認されにくい画像（図１１の（ｃ））を低リフレッシュレートで表示し、消費電力を低減することができる。
【０１００】
なお、駆動変更部３６は、マッチする領域に対応する画像の一部の領域のみについて、高リフレッシュレートで表示を行うと決定してもよい。また、１００％の完全なマッチではなくとも、パターン１５に所定の割合（例えば８０％）以上マッチする領域が画像に存在すれば、駆動変更部３６は、該画像を高リフレッシュレートで表示すると決定してもよい。
【０１０１】
なお、上記の例では、画素の色に関係なくパターンマッチを行っているが、絵素毎にパターンマッチを行ってもよい。すなわち、画像判定部３５は、絵素の輝度Ｙが所定の範囲であるかを示す階調マップを生成し、複数の絵素で構成される所定のパターンが画像にマッチするか否かを判定してもよい。また、画像判定部３５は、１つの画像に対してＲＧＢの色毎に階調マップを生成し、各色の階調マップに対して所定のパターンがマッチするか否かを判定してもよい。
【０１０２】
〔実施形態４〕
本発明のさらに他の実施形態について、以下に説明する。なお、説明の便宜上、上述の実施形態にて説明した部材と同じ機能を有する部材については、同じ符号を付記し、その説明を省略する。本実施形態では、リフレッシュレートの決定を行う画像判定部および駆動変更部が、ホスト制御部以外の基板に設けられている。
【０１０３】
（表示装置２の構成）
図１２は、本実施形態の表示装置の構成を示すブロック図である。表示装置２は、表示部１０と、表示駆動部４０と、表示制御部５０（制御装置）と、ホスト制御部６０とを備える。
【０１０４】
実施形態１と同様に、表示駆動部４０は、表示部１０のガラス基板にＣＯＧ実装された、ＣＯＧドライバであり、表示部１０の駆動を行う。ホスト制御部６０は、基板上に形成された制御回路で構成される制御基板であり、表示装置２のホスト側の制御を主に担う。表示制御部５０は、表示する画像に対する画像処理等のために、ホスト制御部６０とは別に設けられる制御基板である。本実施形態では、リフレッシュレートの決定を、表示制御部５０で行う。これにより、ホスト制御部６０の負荷を減らし、ホスト制御部６０に表示以外の別の処理を行わせるための処理能力を確保することができる。
【０１０５】
（ホスト制御部６０の構成）
ホスト制御部６０は、画面更新検知部６１、ＣＰＵ６２、ホストメモリ３３、およびホストＴＧ３４を備える。
【０１０６】
画面更新検知部６１は、画像の内容が変化する間隔を検知して表示制御部５０に通知してもよいし、画像の内容が変化する間隔を検知しなくてもよい。例えば、画像の内容が変化する間隔の検知は、表示制御部５０側で行われてもよい。その他の点については、画面更新検知部６１は、実施形態１の画面更新検知部３１と同様の処理を行う。
【０１０７】
ＣＰＵ６２は、画像判定部に表示データを出力しない点を除き、実施形態１のＣＰＵ３２と同様の処理を行う。
【０１０８】
ホストＴＧ３４は、表示の更新が必要な時のみ、更新される画像の表示データを表示制御部５０に転送する。
【０１０９】
（表示制御部５０の構成）
表示制御部５０は、画像処理部５１、画像判定部５２、駆動変更部５３、メモリ２１、およびＴＧ２２を備える。
【０１１０】
画像処理部５１は、ホスト制御部６０から受け取った表示データに対して、色彩調整等の画像処理を行う。画像処理部５１は、画像処理された表示データをメモリ２１に書き込む。
【０１１１】
メモリ２１が格納する表示データが更新されると、画像判定部５２は、メモリ２１から表示データを取得する。画像判定部５２は、表示データが示す画像が、フリッカが生じやすい画像であるか否かを判定する。画像判定部５２の判定処理は、上述の実施形態で説明した通りである。画像判定部５２は、判定結果を駆動変更部５３に出力する。また、画像判定部５２（更新検知部）は、画像が変化する間隔を検知し、画像が変化する間隔を駆動変更部５３に出力することができる。
【０１１２】
駆動変更部５３は、画像判定部５２の判定結果に基づいてリフレッシュレートを決定し、決定されたリフレッシュレートで表示部１０が駆動されるよう、ＴＧ２２にリフレッシュレートを指示する。
【０１１３】
ＴＧ２２は、駆動変更部５３から指示されたリフレッシュレートに基づいて、メモリ２１から表示データを読み出し、表示データを表示駆動部４０のソースドライバ２３に転送する。なお、ＴＧ２２は、画像の更新の有無に関わらず、リフレッシュレートに合わせて表示データを表示駆動部４０に転送する。
【０１１４】
表示駆動部４０は、ソースドライバ２３を備える。ソースドライバ２３の構成は実施形態１と同様である。
【０１１５】
〔実施形態５〕
本発明のさらに他の実施形態について、以下に説明する。なお、説明の便宜上、上述の実施形態にて説明した部材と同じ機能を有する部材については、同じ符号を付記し、その説明を省略する。本実施形態では、リフレッシュレートの決定を行う画像判定部および駆動変更部が、ＣＯＧドライバである表示駆動部に設けられている。
【０１１６】
（表示装置３の構成）
図１３は、本実施形態の表示装置の構成を示すブロック図である。表示装置３は、表示部１０と、表示駆動部７０（制御装置）と、ホスト制御部６０とを備える。ホスト制御部６０の構成は、実施形態４と同様である。ホスト制御部６０は、表示の更新が必要な時のみ、更新される画像の表示データを表示駆動部７０に転送する。
【０１１７】
表示駆動部７０は、表示部１０のガラス基板にＣＯＧ実装された、ＣＯＧドライバであり、表示部１０の駆動を行う。表示駆動部７０は、画像判定部５２、駆動変更部５３、メモリ２１、ＴＧ２２、およびソースドライバ２３を備える。表示駆動部７０の各部の動作は、実施形態４と同様である。
【０１１８】
本実施形態では、リフレッシュレートの決定を、ＣＯＧドライバ（表示駆動部７０）で行う。これにより、ホスト制御部６０とは別の基板を設けることなく、ホスト制御部６０の負荷を減らすことができる。アクティブマトリクス基板に形成されるＣＯＧドライバは実装面積が制限されるため、本実施形態は、画像判定部５２および駆動変更部５３において簡単な判定処理のみを行う場合に適している。
【０１１９】
〔まとめ〕
本発明の態様１に係る制御装置は、表示装置の制御装置であって、第１範囲の階調は中間階調であり、画像における複数の画素について、上記第１範囲の階調であるか否かを判定する画像判定部と、上記画像判定部の判定結果に応じて上記表示装置のリフレッシュレートを変更する駆動変更部とを備える。
【０１２０】
本発明の態様２に係る制御装置は、上記態様１において、上記画像判定部が、上記画像の所定の領域における上記第１範囲の階調である画素の割合が第１閾値以上であるか否かを判定する構成であってもよい。
【０１２１】
本発明の態様３に係る制御装置は、上記態様２において、上記駆動変更部が、上記第１範囲の階調である画素の割合が上記第１閾値未満である場合、第１リフレッシュレートで表示を行うことを決定し、上記第１範囲の階調である画素の割合が上記第１閾値以上である場合、上記第１リフレッシュレートより高い第２リフレッシュレートで表示を行うことを決定する構成であってもよい。
【０１２２】
本発明の態様４に係る制御装置は、上記態様３において、上記画像の内容が変化する間隔を検知する画面更新検知部を備え、上記駆動変更部は、上記間隔が所定の間隔閾値以下である場合、上記第１リフレッシュレートより高くかつ上記第２リフレッシュレートより低い第３リフレッシュレートで表示を行うことを決定し、上記間隔が上記間隔閾値より大きくかつ上記第１範囲の階調である画素の割合が上記第１閾値未満である場合、上記第１リフレッシュレートで表示を行うことを決定し、上記間隔が上記間隔閾値より大きくかつ上記第１範囲の階調である画素の割合が上記第１閾値以上である場合、上記第２リフレッシュレートで表示を行うことを決定する構成であってもよい。
【０１２３】
本発明の態様５に係る制御装置は、上記態様２において、第２範囲の階調は中間階調であり、上記第２範囲は上記第１範囲とは異なる範囲であり、上記第１範囲の階調である画素の割合が上記第１閾値以上であることを第１条件とし、上記第２範囲の階調である画素の割合が第２閾値以上であることを第２条件とし、上記第１条件を満たす場合、上記駆動変更部は、第２リフレッシュレートで表示を行うことを決定し、上記第１条件を満たさずかつ上記第２条件を満たす場合、上記駆動変更部は、上記第２リフレッシュレートより低い第３リフレッシュレートで表示を行うことを決定し、上記第１条件を満たさずかつ上記第２条件を満たさない場合、上記駆動変更部は、上記第３リフレッシュレートより低い第１リフレッシュレートで表示を行うことを決定する構成であってもよい。
【０１２４】
本発明の態様６に係る制御装置は、上記態様１において、１つの絵素は、色の異なる複数の画素を含み、上記画像判定部は、上記画像の所定の領域における上記第１範囲の階調である画素の割合に、色毎に重みづけをした合計値を求め、上記合計値が第５閾値以上であるか否かを判定する構成であってもよい。
【０１２５】
本発明の態様７に係る制御装置は、上記態様１において、１つの絵素は、色の異なる複数の画素を含み、上記画像判定部は、上記絵素に含まれる上記複数の画素の階調から上記絵素の輝度を求め、上記絵素の輝度が第２範囲の中にあれば、上記絵素に含まれる上記複数の画素は上記第１範囲の階調であると判定する構成であってもよい。
【０１２６】
本発明の態様８に係る制御装置は、上記態様２において、上記所定の領域は、上記画像の一部の領域であり、上記駆動変更部は、上記第１範囲の階調である画素の割合が上記第１閾値以上である場合、上記所定の領域について第２リフレッシュレートで表示を行うことを決定し、上記画像のその他の領域について上記第２リフレッシュレートより低い第１リフレッシュレートで表示を行うことを決定する構成であってもよい。
【０１２７】
本発明の態様９に係る制御装置は、上記態様１において、上記画像の第１領域および第２領域を指定する領域指定部を備え、上記画像判定部は、上記第１領域および上記第２領域のそれぞれについて、該領域における上記第１範囲の階調である画素の割合が第１閾値以上であるか否かを判定し、上記駆動変更部は、上記第１領域および上記第２領域の両方において上記第１範囲の階調である画素の割合が上記第１閾値未満である場合、第１リフレッシュレートで表示を行うことを決定し、上記第１領域および上記第２領域のいずれかの領域において上記第１範囲の階調である画素の割合が上記第１閾値以上である場合、少なくとも該いずれかの領域について上記第１リフレッシュレートより高い第２リフレッシュレートで表示を行うことを決定する構成であってもよい。
【０１２８】
本発明の態様１０に係る制御装置は、上記態様９において、上記駆動変更部は、上記第１領域および上記第２領域のそれぞれについて、上記第１範囲の階調である画素の割合が上記第１閾値未満である領域について上記第１リフレッシュレートで表示を行うことを決定し、上記第１範囲の階調である画素の割合が上記第１閾値以上である領域について上記第２リフレッシュレートで表示を行うことを決定する構成であってもよい。
【０１２９】
本発明の態様１１に係る制御装置は、上記態様１において、上記画像判定部は、上記第１範囲の階調である複数の画素で構成される所定のパターンが上記画像中に存在するか否かを判定し、上記駆動変更部は、上記画像が上記所定のパターンを有しない場合、第１リフレッシュレートで表示を行うことを決定し、上記画像が上記所定のパターンを有する場合、上記第１リフレッシュレートより高い第２リフレッシュレートで表示を行うことを決定する構成であってもよい。
【０１３０】
本発明の態様１２に係る表示装置は、上記態様１から１１のいずれか一態様の制御装置を備える。
【０１３１】
本発明の態様１３に係る表示装置では、上記表示装置の画素に含まれるＴＦＴ（thin film transistor）の半導体層には、酸化物半導体が用いられていてもよい。
【０１３２】
本発明の態様１４に係る制御方法は、表示装置の制御方法であって、第１範囲の階調は中間階調であり、画像における複数の画素について、上記第１範囲の階調であるか否かを判定する画像判定ステップと、上記画像判定ステップにおける判定結果に応じて上記表示装置のリフレッシュレートを変更する駆動変更ステップとを含む。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３４】
本発明は、表示装置に利用することができる。
【符号の説明】
【０１３５】
１、２、３    表示装置
１０    表示部
１１ａ〜１１ｄ    画面
１３、１３ａ〜１３ｈ    解析領域
１５    パターン
１６ａ、１６ｂ    階調マップ
２０、４０、７０    表示駆動部（制御装置）
３０、６０    ホスト制御部（制御装置）
３１、６１    画面更新検知部（更新検知部）
３５、５２    画像判定部（領域指定部）
３６、５３    駆動変更部
５０    表示制御部（制御装置）
５１    画像処理部
【図１】
0006054417.tif 000002
【図２】
0006054417.tif 000003
【図３】
0006054417.tif 000004
【図４】
0006054417.tif 000005
【図５】
0006054417.tif 000006
【図６】
0006054417.tif 000007
【図７】
0006054417.tif 000008
【図８】
0006054417.tif 000009
【図９】
0006054417.tif 000010
【図１０】
0006054417.tif 000011
【図１１】
0006054417.tif 000012
【図１２】
0006054417.tif 000013
【図１３】
0006054417.tif 000014